(57)【要約】【課題】オーバドライブ駆動による直流成分のアンバランスをなくし、応答速度と信頼性を向上させることができる表示装置及び方法、並びにプログラム及び記憶媒体を提供する。【解決手段】表示装置は、次に表示する画像データを入力する画像データ入力手段Ｓ１１と、画像データのフレームレートを奇数倍に変換するフレームレート変換手段Ｓ１２とを備える。また、表示装置は、変換した画像データとメモリに格納されている１フレーム前の画像データとを比較する画像データ比較手段Ｓ１３と、比較結果を判断する判断手段Ｓ１４とを備える。また、表示装置は、判断手段Ｓ１４により画像データが一致していないと判断された場合、駆動電圧を上昇または下降させてオーバドライブ駆動を行うオーバドライブ駆動手段Ｓ１５を備える。また、表示装置は、判断手段Ｓ１４により画像データが一致していると判断された場合、フレーム毎に極性を反転して出力する極性反転手段Ｓ１６を備える。【選択図】図８
2008046551.tif 000002
【特許請求の範囲】
【請求項１】
交流駆動を行う表示装置において、
入力信号の１フレーム期間を２Ｎ−１分割する（Ｎは１以上の整数、１分割期間をフィールドとする）フレームレート変換部と、
前記フレームレート変換部で変換された入力信号のフレーム間の画像の変化に応じてオーバドライブ駆動を行うオーバドライブ駆動手段と
を備え
ることを特徴とする表示装置。
【請求項２】
前記オーバドライブ駆動は、前記２N−１分割したフレームの第１のフィールドで駆動することを特徴とする請求項１に記載の表示装置。
【請求項３】
前記オーバドライブ駆動手段によってオーバドライブ駆動を行った後、フィールド毎に極性を反転して出力する極性反転手段を更に備えることを特徴とする請求項１に記載の表示装置。
【請求項４】
次に表示する画像データを入力する画像データ入力手段と、
画像データのフレームレートを奇数倍に変換するフレームレート変換手段と、
変換した画像データとメモリに格納されている１フレーム前の画像データとを比較する画像データ比較手段と、
比較結果を判断する判断手段と、
前記判断手段により画像データが一致していないと判断された場合、駆動電圧を上昇または下降させてオーバドライブ駆動を行うオーバドライブ駆動手段と、
前記判断手段により画像データが一致していると判断された場合、フレーム毎に極性を反転して出力する極性反転手段と、
を備えることを特徴とする表示装置。
【請求項５】
次に表示する画像データを入力する画像データ入力ステップと、
画像データのフレームレートを奇数倍に変換するフレームレート変換ステップと、
変換した画像データとメモリに格納されている１フレーム前の画像データとを比較する画像データ比較ステップと、
比較結果を判断する判断ステップと、
前記判断ステップにより画像データが一致していないと判断された場合、駆動電圧を上昇または下降させてオーバドライブ駆動を行うオーバドライブ駆動ステップと、
前記判断ステップにより画像データが一致していると判断された場合、フレーム毎に極性を反転して出力する極性反転ステップと、
を備えることを特徴とする表示方法。
【請求項６】
次に表示する画像データを入力する画像データ入力モジュールと、
画像データのフレームレートを奇数倍に変換するフレームレート変換モジュールと、
変換した画像データとメモリに格納されている１フレーム前の画像データとを比較する画像データ比較モジュールと、
比較結果を判断する判断モジュールと、
前記判断モジュールにより画像データが一致していないと判断された場合、駆動電圧を上昇または下降させてオーバドライブ駆動を行うオーバドライブ駆動モジュールと、
前記判断モジュールにより画像データが一致していると判断された場合、フレーム毎に極性を反転して出力する極性反転モジュールと、
をコンピュータに実行させることを特徴とする表示プログラム。
【請求項７】
請求項６記載の表示プログラムを格納するコンピュータ読み取り可能な記憶媒体。
【発明の詳細な説明】
【技術分野】
【０００１】
本発明は、液晶表示装置に代表される表示装置及び方法、並びにプログラム及び記憶媒体に関する。
【背景技術】
【０００２】
近年、ＴＶの受像機やＰＣの表示装置として液晶表示装置が使用されている。このような液晶表示装置は、薄型に形成できるため省スペースで、且つ省電力であるため幅広く用いられている。しかし、このような液晶表示装置は、画像データに対して実際に表示されるまでの応答時間が長いという問題を有している。
【０００３】
そこで、この応答速度を改善するための液晶表示装置の駆動技術として、次に表示する画像データを以前の画像データと比較し、その比較結果に応じてオーバドライブ駆動を行う技術が提案されている（特許文献１参照）。
【０００４】
また、従来の液晶表示装置においては、図９に示す様に、オーバドライブ駆動を交流駆動の片側（正又は負）のみで行うことにより直流成分が残存し、液晶表示装置の構造や構成によっては、信頼性の劣化を生じるものがある。
【０００５】
そのため、画素電極と対向電極とを同一基板上に配置し、基板に平行に電圧を発生する液晶表示装置においては、その対策が講じられている。即ち、画素電極又は対向電極の少なくとも一方をＩＴＯ膜で生成することにより、上記直流成分による信頼性の劣化を改善する技術が提案されている（特許文献２参照）。
【特許文献１】特開平１１−１２６０５０号公報
【特許文献２】特開２００１−３４２３８号公報
【発明の開示】
【発明が解決しようとする課題】
【０００６】
上記特許文献２記載の液晶表示装置では、画素電極又は対向電極の少なくとも一方をＩＴＯ膜で生成するという構造を採用している。しかしその構造を採用するためには、液晶表示装置のパネル構造を変更する必要があり、各種の液晶表示装置で汎用的に適応できないという問題があった。
【０００７】
本発明の目的は、オーバドライブ駆動による直流成分のアンバランスをなくし、応答速度と信頼性を向上させることができる表示装置及び方法、並びにプログラム及び記憶媒体を提供することにある。
【課題を解決するための手段】
【０００８】
上記目的を達成するために、請求項１記載の表示装置は、交流駆動を行う表示装置において、  入力信号の１フレーム期間を２Ｎ−１分割する（Ｎは１以上の整数、１分割期間をフィールドとする）フレームレート変換部と、前記フレームレート変換部で変換された入力信号のフレーム間の画像の変化に応じてオーバドライブ駆動を行うオーバドライブ駆動手段とを備えることを特徴とする。
【０００９】
請求項４記載の表示装置は、次に表示する画像データを入力する画像データ入力手段と、画像データのフレームレートを奇数倍に変換するフレームレート変換手段と、変換した画像データとメモリに格納されている１フレーム前の画像データとを比較する画像データ比較手段と、比較結果を判断する判断手段と、前記判断手段により画像データが一致していないと判断された場合、駆動電圧を上昇させてオーバドライブ駆動を行うオーバドライブ駆動手段と、前記判断手段により画像データが一致していると判断された場合、フレーム毎に極性を反転して出力する極性反転手段とを備えることを特徴とする。
【００１０】
請求項５記載の表示方法は、次に表示する画像データを入力する画像データ入力ステップと、画像データのフレームレートを奇数倍に変換するフレームレート変換ステップと、変換した画像データとメモリに格納されている１フレーム前の画像データとを比較する画像データ比較ステップと、比較結果を判断する判断ステップと、前記判断ステップにより画像データが一致していないと判断された場合、駆動電圧を上昇させてオーバドライブ駆動を行うオーバドライブ駆動ステップと、前記判断ステップにより画像データが一致していると判断された場合、フレーム毎に極性を反転して出力する極性反転ステップと備えることを特徴とする。
【００１１】
請求項６記載の表示プログラムは、次に表示する画像データを入力する画像データ入力モジュールと、画像データのフレームレートを奇数倍に変換するフレームレート変換モジュールと、変換した画像データとメモリに格納されている１フレーム前の画像データとを比較する画像データ比較モジュールと、比較結果を判断する判断モジュールと、前記判断モジュールにより画像データが一致していないと判断された場合、駆動電圧を上昇させてオーバドライブ駆動を行うオーバドライブ駆動モジュールと、前記判断モジュールにより画像データが一致していると判断された場合、フレーム毎に極性を反転して出力する極性反転モジュールとをコンピュータに実行させることを特徴とする。
【００１２】
請求項６記載のコンピュータ読み取り可能な記憶媒体は、請求項５記載の表示プログラムを格納する。
【発明の効果】
【００１３】
本発明
によれば、倍速によるサブフィールド数を奇数とすることにより、交流駆動の両側で交互にオーバドライブ駆動が行われるため、オーバドライブ駆動による直流成分のアンバランスをなくし、応答速度と信頼性を向上させることができる。
【発明を実施するための最良の形態】
【００１４】
以下、本発明の実施の形態を図面を参照しながら詳細に説明する。尚、以下の実施の形態は特許請求の範囲に係る発明を限定するものでなく、また、実施の形態で説明されている特徴の組み合わせの全てが発明の解決手段に必須のものとは限らない。
【００１５】
図１は、本発明の実施の形態に係る背面投射型の表示装置の側面構成を概略的に示す図である。
【００１６】
図１において、表示装置２００は、反射ミラー２０１、デジタイザ装置２０２、デジタイザ装置２０２の背面に設けたスクリーン２０３、明るさ調整スイッチ２０４、表示エンジンＤ１を備えている。
【００１７】
表示エンジンＤ１から投射された画像を反射ミラー２０１で反射し、スクリーン２０３の背面から投射する。このスクリーン２０３の前面には、デジタイザ装置２０２が取り付けられている。
【００１８】
このデジタイザ装置２０２を取り付けたスクリーン２０３の前面でデジタイザ用ペン２０５により位置を指示すると、その指示した位置の座標を表示装置２００に入力することができる。
【００１９】
このデジタイザ装置２０２としては、光学式のものや感圧式のものや超音波式のもの等、各種のものを用いることができる。明るさ調整スイッチ２０４は、スクリーン２０３に表示される画像の明るさを調整するためのスイッチである。
【００２０】
図２は、図１における表示エンジンＤ１の構成を概略的に示す図である。
【００２１】
ここでは光変調素子として、Ｒ，Ｇ，Ｂ各色表示対応の３枚の液晶パネル２Ｒ，２Ｇ，２Ｂを用いる。これら３枚の液晶パネル２Ｒ，２Ｇ，２Ｂはクロスプリズム７に対向する位置に配置されている。
【００２２】
本実施の形態においては、液晶パネル２Ｒ，２Ｇ，２Ｂとして、ＴＦＴを用いて駆動するＴＮ液晶パネルを用いる。また各液晶パネル２Ｒ，２Ｇ，２Ｂを挟み込むように、その両側には偏光板８をそれぞれ配置し、クロスプリズム７の光出射側には投射レンズ９やスクリーン（被投射部材）２０３を配置した。
【００２３】
一方、ランプ（光源）１を囲むように放物型のリフレクタ１０を配置し、ランプ１からの出射光Ｌ１が平行光束Ｌ２に変換されるようにした。尚、このリフレクタ１０は放物型でなくても、楕円型として集光光束へ変換するようにしてもよい。またランプ１には、メタルハライドランプやキセノンランプ等を用いることができる。
【００２４】
また、インテグレータ４０，４１は、ランプ１から出射された光の光路上に、液晶パネル２Ｒ，２Ｇ，２Ｂと共役な関係となるように配置し、光源の不均一性を改善した。そして、インテグレータ４０，４１の光出射側には、順に、リレーレンズ１１、ミラー１２を配置する。
【００２５】
更に、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにする。符号１９はフィールドレンズを示す。液晶パネル２Ｒ，２Ｇ，２Ｂには、図３に示す映像信号入力部３を接続する。
【００２６】
図３は、図１における表示エンジンＤ１の制御ブロックを概略的に示す図である。
【００２７】
図３において、表示エンジンＤ１の制御ブロックは、映像信号処理部３他を備えている。各構成と動作を併せて説明する。
【００２８】
映像信号処理部３において、スイッチ３０は、端子５０を介してＰＣ３００から入力される映像信号と、端子５１から入力されるＮＴＳＣ信号とを切り替えている。信号処理回路５２は、端子５１から入力されるＮＴＳＣ信号に対して、ＮＴＳＣ信号のデコード、ノイズ低減処理、帯域制限フィルタリング及び信号レベル調節等の信号処理を行う。
【００２９】
Ａ／Ｄ変換器３１は、入力したアナログ映像信号をデジタル信号に変換する。ＤＳＰ（Digital SigＮal Processor）部３２は、Ａ／Ｄ変換されたデジタル画像データを入力して信号処理を実行して出力する。フレームレート変換部１０１は、入力した画像データのフレームレートを変換する。
【００３０】
メモリ３３は、現状の画像データと次のフレームで表示する画像データ等を保持する。タイミング発生回路３４は、各部への動作タイミングを規定するタイミング信号を出力する。メモリ１０２は、応答速度を補正するために、以前の画像データを記憶する。
【００３１】
応答速度補正部１０３は、フレームレート変換部１０１から出力される画像データと、メモリ１０２を介した画像データを比較して応答速度を補正している。極性反転部１０６は、この画像データに基づく画像信号の極性を反転する。
【００３２】
Ｄ／Ａコンバータ３５は、デジタル画像データをアナログ画像信号に変換し、このアナログ画像信号によりパネルドライバ３６を介して、ＲＧＢの液晶パネル２Ｒ，２Ｇ，２Ｂに映像信号と電源が供給される。尚、ＤＳＰ部３２では、コントラスト、ブライト調整や色変換、解像度変換等の画像処理が行われる。
【００３３】
ここで、このブロック図には、アナログ入力信号のみ記載されているが、それに限らず、ＬＶＤＳ，ＴＭＤＳ等のデジタル信号用入力端子や、デジタルＴＶ用Ｄ４端子等を設けても有効であることは言うまでもない。
【００３４】
またバラスト５７は、ランプ１に接続されるランプ用の電源である。符号５８はシステム電源、符号６０はＡＣインレットを示す。リモコン６１は、この表示装置２００の種々の操作を指示する。制御パネル６２は、リモコン６１からの信号を受信する。
【００３５】
明るさ調整スイッチ検出部１０９は、明るさ調整スイッチ２０４の動作を検出する。デジタイザ検出部１１８は、デジタイザ装置２０２で指示された座標位置を検出する。更に、ＣＰＵ６３、ＲＯＭ６４、ＲＡＭ６５、ＵＳＢＩ／Ｆ１０７、ＵＳＢ出力端子１２１を備える。
【００３６】
ＣＰＵ６３は、映像信号入力部３や制御パネル６２やバラスト５７や明るさ調整スイッチ検出部１０９やデジタイザ検出部１１８やＵＳＢＩ／Ｆ１０７等に接続されており、液晶パネル２Ｒ，２Ｇ，２Ｂやランプ１等の駆動制御や表示画像の拡大・縮小や移動を行う。
【００３７】
本実施の形態では、明るさ調整スイッチ検出部１０９、デジタイザ検出部１１８、ＵＳＢＩ／Ｆ１０７等はＣＰＵ６３に接続されるものとして説明したが、ＣＰＵに内蔵し、あるいはプログラムにより実行するように構成してもよい。
【００３８】
次に、この表示装置に接続されるＰＣ（パーソナルコンピュータ）３００の構成を説明する。
【００３９】
ＰＣ３００は、ＣＰＵ３０１、ＨＤ（ハードディスク）３０２、ＲＡＭ３０３、ＲＯＭ３０４、ビデオメモリ３０５、グラフィックコントローラ３０６、マウスＩ／Ｆ３０７、ＵＳＢＩ／Ｆ３０８を備える。更に、ＰＣ３００は、映像出力端子３０９、ＵＳＢ入力端子３１０、マウス入力端子３１１を備える。マウス３１２はポインティングデバイスとして機能しており、マウス入力端子３１１に接続されている。
【００４０】
次に本実施の形態の表示装置２００の動作を詳細に説明する。
【００４１】
ＰＣ入力端子５０より入力した映像信号とＮＴＳＣ入力端子５１より入力した映像信号の何れかがスイッチ３０により選択される。こうして選択されたアナログ信号は、Ａ／Ｄ変換器３１によりデジタル信号に変換される。
【００４２】
次に、ＤＳＰ部３２により、このデジタル画像データに対して、コントラスト、ブライト調整や色変換等の画像処理が行われる。ＤＳＰ部３２より出力された画像データは、更に、フレームレート変換部１０１により所望の解像度及びフレームレートに変換される。
【００４３】
本実施の形態では、垂直周波数６０Ｈｚの映像入力信号を、３倍の垂直周波数１８０Ｈｚのフレームレートに変換する場合で説明する。その際、入力された少なくとも１画面以上の画像データをメモリ３３に記憶し、そのメモリ３３からの画像データの読み出し速度を変えることにより、入力画像信号とは異なるフレームレートの画像信号に変換することが可能となる。
【００４４】
図４〜図７は、表示装置内の各信号処理部における液晶パネルの特定の画素を駆動する信号を示している。
【００４５】
図４は、図３におけるフレームレート変換部に入力される液晶パネルの特定の画素を駆動する信号を示す図である。
【００４６】
図４において、フレーム（１）及び（２）では、黒信号が印加され（電圧Ｖ０）、フレーム（３）にて中間調画像データ１（電圧Ｖ１）に変化している。更に、フレーム（４）では中間調画像データ１より明るい中間調画像データ２（電圧Ｖ２）に変化している。
【００４７】
図５は、図３におけるフレームレート変換部から出力される画像データを示す図である。
【００４８】
図５において、フレーム（１）はフレーム（１），（１）’，（１）’’に、フレーム（２）はフレーム（２），（２）’，（２）’’（以下、同様）というように、図４に示す各フレームが３つのフレームで表されている。
【００４９】
この実施の形態では、フレームレート変換部１０１は、画像のフレームレートを６０Ｈｚから１８０Ｈｚに変換している。このフレームレート変換部１０１では、メモリ３３に記憶した画像データを連続して３回づつ読み出すことにより、フレームレートを３倍に変換している。次に、応答速度補正部１０３は、この表示装置２００の応答速度を改善するために、所謂、オーバドライブ駆動を行う。
【００５０】
図６は、図３における応答速度補正部から出力する画像データを示す図である。
【００５１】
応答速度補正部１０３では、メモリ１０２に記憶した１フレーム前の画像データと現時点の画像データとを比較する。そして、それら画像データに変化があれば、１フレーム前の画像データのレベルと、現時点の画像データのレベルと、液晶パネル２R、２G、２Bの対象画素に再度書込を行うまでの時間とに応じて、オーバドライブ駆動を行う。
【００５２】
図６の例では、画像データが上昇方向に変化しているため、駆動電圧を上昇方向に変化させることによりオーバードライブ駆動を行う。逆に、画像データが下降方向に変化している場合は、駆動電圧を下降方向に変化させることによりオーバードライブ駆動を行う。
【００５３】
図５の例では、フレーム（３）は、１つ前のフレーム（２）’’と異なっているため、このフレーム（３）で、電圧Ｖ１’でオーバドライブ駆動が実行される。更に、フレーム（４）は、１つ前のフレーム（３）’’と異なっているため、このフレーム（４）で、電圧Ｖ２’でオーバドライブ駆動が実行される。続く図５のフレーム（４）’以降では、２フレーム前のフレーム（４）以降と同じデータであるためオーバドライブ駆動は行なわれない。
【００５４】
このように図６では、入力信号において、黒から中間調１に変化したフレーム（３）及び、中間調１から中間調２に変化したフレーム（４）で、オーバドライブ量を加えて駆動を行う。ここで、フレーム（３）とフレーム（４）では、遷移前後のレベルが異なるため、異なる量のオーバドライブが行われる。
【００５５】
応答速度補正の方法としては、ＬＵＴにより１フレーム前の画像データと現時点の表示画像データの入力レベルに応じて補正量を変える方法を用いることができる。ＬＵＴを使用する方法では、応答速度が遅い中間調での補正量を増やす等、変化レベルに応じた最適なオーバドライブ駆動が可能となる。また、１フレーム前の画像データと現時点の表示画像データとの差分に応じて補正量を決める方法等を用いることも可能である。
【００５６】
次に極性反転部１０６において、３倍に変換された後の１フレーム毎に、信号の極性を反転して出力する。
【００５７】
図７は、図３における極性反転部で、図６に示す倍速変換後の信号の極性をフレーム毎に反転する状態を示す図である。
【００５８】
尚、図７における各フレームは、図６に示す各フレームと同一であり、その駆動電圧Ｖ１，Ｖ２，Ｖ１，Ｖ２’も図６と同じである。
【００５９】
図８は、図３の表示装置によって実行される応答速度補正処理の手順を示すフローチャートである。
【００６０】
この処理は、応答速度補正部１０３、フレームレート変換部１０１、極性反転部１０６により実行されるが、ＲＯＭ６４に記憶されたプログラムに基づいてＣＰＵ６３の制御の下で実行されてもよい。
【００６１】
図８において、まず、ステップＳ１１で、次に表示する画像データを入力し、ステップＳ１２で、フレームレート変換部１０１により画像データのフレームレートを奇数倍（例えば、３倍）に変換する。
【００６２】
ステップＳ１３で、その画像データと、メモリ１０２に格納されている１フレーム前の画像データとを比較する。そして、フレームの画像データが一致しているか否か判断する（ステップＳ１４）。
【００６３】
フレームの画像データが一致しているときはステップＳ１６に進むが、一致していないときはステップＳ１５に進み、画像データの変化方向に応じて、駆動電圧を上昇または下降させてオーバドライブ駆動を行う。次に、ステップＳ１６で、極性反転部１０６により、フレーム毎に信号の極性を反転させてＤ／Ａ変換器３５に出力し、ステップＳ１７で液晶パネル２Ｒ，２Ｇ，２Ｂを表示駆動する。
【００６４】
ステップＳ１８で、画像の表示処理の終了か否かを判断し、終了でないときはステップＳ１１に戻り、次のフレームの画像データに対して同様の処理を実行する。表示処理が終了している場合は、応答速度補正処理を終了する。
【００６５】
上述したように、入力の１フレームを奇数倍のサブフィールドに変換し、分割した第一番目のサブフィールドにおいてオーバドライブを行うことにより、正転駆動時と反転駆動時において、同等にオーバドライブが行われる。
【００６６】
以上説明したように、本実施の形態によれば、オーバドライブ駆動の電圧が、正転駆動時と反転駆動時においてバランスがとれるため、高画質で信頼性の高い表示装置を提供することができる。
【００６７】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００６８】
この場合、記憶媒体から読み出されたプログラムコード自体が前述した実施の形態の機能を実現することになり、そのプログラムコード及び該プログラムコードを記憶した記憶媒体は本発明を構成することになる。
【００６９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７０】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００７１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００７２】
【図１】本発明の実施の形態に係る背面投射型の表示装置の側面構成を概略的に示す図である。
【図２】図１における表示エンジンＤ１の構成を概略的に示す図である。
【図３】図１における表示エンジンＤ１の制御ブロックを概略的に示す図である。
【図４】図３におけるフレームレート変換部に入力される液晶パネルの特定の画素を駆動する信号を示す図である。
【図５】図３におけるフレームレート変換部から出力される画像データを示す図である。
【図６】図３における応答速度補正部から出力する画像データを示す図である。
【図７】図３における極性反転部で、図６に示す倍速変換後の信号の極性をフレーム毎に反転する状態を示す図である。
【図８】図３の表示装置によって実行される応答速度補正処理の手順を示すフローチャートである。
【図９】従来の表示装置におけるオーバドライブ駆動波形を示す図である。
【符号の説明】
【００７３】
Ｄ１  投射型表示エンジン
１  光源
２Ｒ、２Ｇ、２Ｂ  液晶表示素子
３  映像信号処理部
３３，１０２  メモリ
３６  パネルドライバ
１０１  フレームレート変換部
１０３  応答速度補正部
１０６  極性反転部
Ｓ１１  画像データ入力手段
Ｓ１２  フレームレート変換手段
Ｓ１３  画像データ比較手段
Ｓ１４  判断手段
Ｓ１５  オーバドライブ駆動手段
Ｓ１６  極性反転手段
【図１】
2008046551.tif 000003
【図２】
2008046551.tif 000004
【図３】
2008046551.tif 000005
【図４】
2008046551.tif 000006
【図５】
2008046551.tif 000007
【図６】
2008046551.tif 000008
【図７】
2008046551.tif 000009
【図８】
2008046551.tif 000010
【図９】
2008046551.tif 000011